(57)【要約】【課題】被介護者を起立姿勢で乗せたままの状態で、一人の介助者によるトイレや浴槽の場所までの移動を転倒させることなく安全に行えるようにする。【解決手段】被介護者Ｐが起立して移動可能とするようキャスター４を配してなる台車本体１と、該台車本体１の前部に支承部３を介して前後方向に傾倒自在となって配置し、且つ介助者が操作する介助者用操作ハンドル６ｄ、被介護者Ｐが手で掴めるようにした被介護者用手摺６ｃそれぞれを設けた起伏体２とを備える。起伏体２は、被介護者Ｐが被介護者用手摺６ｃを掴んで前屈みとなることで前向き側への所定の傾倒位置で当該被介護者Ｐを保持可能にする。起伏体２には、被介護者Ｐ用の肘載せ台５および被介護者転倒防止用ガード６ａを設ける。また、起伏体２の前後方向の所定の傾倒角度位置での保持を可能にし、収縮あるいは伸張状態を維持する油圧駆動の伸縮アーム７を設ける。【選択図】図１
2009268786.tif 000002
【特許請求の範囲】
【請求項１】
被介護者を起立させて移動可能となるよう下面にキャスターを配してなる台車本体と、該台車本体の前部に支承部を介して前後方向に傾倒自在となって配置され、且つ介助者が操作する介助者用操作ハンドル、被介護者が手で掴めるようにした被介護者用手摺それぞれを設けた起伏体とを備え、該起伏体は、被介護者が被介護者用手摺を掴んで前屈みとなることで前向き側への所定の傾倒位置で当該被介護者を保持可能としてなることを特徴とする介護用起立支援移動台車。
【請求項２】
起伏体は、その上部に被介護者の肘を載せる肘載せ台が設けられ、該肘載せ台に肘を載せたまま前屈みとなることで前向き側への所定の傾倒位置で当該被介護者を保持可能としてなる請求項１記載の介護用起立支援移動台車。
【請求項３】
起伏体には、台車本体上で起立した被介護者が転倒するのを防止する被介護者転倒防止用ガードを備えてなる請求項１または２記載の介護用起立支援移動台車。
【請求項４】
台車本体に対する支承部を介しての起伏体の前後方向の所定の傾倒角度位置での保持を可能にするよう台車本体と起伏体との間に介装された伸縮アームを備え、該伸縮アームは伸張あるいは収縮状態を維持させてなるものとした請求項１乃至３のいずれか記載の介護用起立支援移動台車。
【請求項５】
伸縮アームは油圧駆動される請求項４記載の介護用起立支援移動台車。
【請求項６】
キャスターは、ブレーキレバーの操作で停止、移動ができるようにしてある請求項１乃至５のいずれか記載の介護用起立支援移動台車。
【請求項７】
伸縮アームは、台車本体下面のキャスターに付設されているブレーキレバーに連繋され、当該伸縮アームの伸縮に伴いブレーキレバーを動作させるものとした請求項４乃至６のいずれか記載の介護用起立支援移動台車。
【請求項８】
起伏体から斜下前方に向けて突設されていて、被介護者の前向き側への起伏体の傾倒限度位置で起伏体を支える支持アーム先端に車輪を備えてなる請求項１乃至７のいずれか記載の介護用起立支援移動台車。
【発明の詳細な説明】
【技術分野】
【０００１】
本発明は、介助者による助けが無ければ一人歩行が困難な主として在宅の被介護者を立たせたままの状態で移動させることができ、例えば排便時等のトイレ等の便器場所に安全に移動でき、しかも被介護者を立たせたままの状態を保持することで介助者が一人でも被介護者の衣服の脱着をも行なえるようにした介護用起立支援移動台車に関する。
【背景技術】
【０００２】
近年、高齢化に伴ない自身の身体動作が不自由となって介護を要する者が増加しつつあり、例えば一人での歩行は困難であるが、何かにつかまったり、誰かが支えたりすれば容易に立つことができる被介護者が増えてきている。人間の成長過程において、乳幼児時では寝たままの状態から四つん這いの状態となり、さらにつかまり立ちの状態となって、その後に二足歩行の状態へと成長するが、老人はその逆をたどって衰えて行く。このような老化・身体の不自由さには個人差はあるが、先ず足腰が弱くなって、何かの支えが無いと立ったり歩行したりできなくなる。
【０００３】
こうした状態になると、先ず困る問題がトイレの使用であり、従来では、被介護者の経年老化に伴い、自ら移動してのトイレの使用が可能であった状態から、移動動作が必要なくなるポータブルトイレの使用、さらにはいわゆる寝たきりとなって介護用オムツを使用せざるを得なくなる状況となる。このような寝たきりの状況となって在宅で介護する場合には、精神的にも肉体的にも介助者側、被介護者側の双方にとって最も厄介な問題となる。仮に介護用オムツを着用せざるを得ない状態になったとしても、介助者側、被介護者側の双方にとっては可能な限りトイレを使用して排泄した方があらゆる点で考えても理想的ではある。
【０００４】
例えば、ポータブルトイレを使用する場合には、介助者は、ベッドに寝ている被介護者を起こし、ベッドの脇に座らせ、引き寄せて立たせる。そして、ポータブルトイレの位置まで被介護者を移動させ、介助者は被介護者を支えたままの状態でズボンと下着を下ろし、ポータブルトイレに座らせる。排泄後、介助者は被介護者を再度引き寄せて立たせ、支えたままの状態で下着およびズボンを引き上げ着用させる。そして、介助者は被介護者を支えながら移動させてベッドの脇に座らせてベッドに寝かせるのである。
【０００５】
ところが、このような一連の作業を介助者一人で行うとすると、特に被介護者を支えたままでの着衣の上げ下ろしは極めて困難で、しかも一人の介助者がこれらを作業するときに無理をすると、転倒する等の事故を起こしかねない。そこで、介護している場合においては、被介護者がトイレを使用する度に介助者の一人が支え、他の一人が着衣を上げ下げする等のが二人がかりで対応する必要があった。
【０００６】
また、従来では、例えば特許文献１に開示されているように、被介護者の家族用浴槽を用いた入浴や、家族用トイレを使った用便、その他を容易にする身体保持具と介護用台車とを備えた介護装置なる技術が提案されている。これは、ベッドまたは畳の上の寝具に寝ている被介護者を、該被介護者に隣接して置かれている身体保持具に介助者によって移し、その身体保持具をリフトで吊り上げ、寝具の横においた介護用台車に載せる。次に、介助者はその介護用台車を浴室またはトイレまで移動させ、その身体保持具に保持された被介護者をリフトを用いて入浴または排泄させ、終われば寝具場所に戻るという一連の作業を、介助者のもっとも少ない労力で、また被介護者にはいかなる苦痛もなく安心して作業が行えるものとしている。
【特許文献１】特開平９−７５４１８号公報
【発明の開示】
【発明が解決しようとする課題】
【０００７】
しかしながら、この特許文献１に開示されている身体保持具と介護用台車とを備えた介護装置なる技術では、例えば介護センターや病院等の室内スペースの広い公共施設では設置し、使用可能であっても、在宅介護の場合では、当該介護装置の移動・設置に要する室内スペースが充分に確保されていないとこのような介護装置の使用も不可能である。
【０００８】
また、従来での在宅介護においては、上述したリフトを一般家屋等に設けること自体がその構造上、現実的でない。こうしたリフト等を設置できないために人力に頼らざるを得ず、上述したように、被介護者がトイレを使用する度に、上述したように一人の介助者が被介護者を支え、もう一人の介助者がズボンと下着とを下ろすという作業となるように、介助者が二人がかりで対応することになる。その際、もし、介助者による支えのバランスがいったん崩れてしまうと被介護者を転倒させてしまう危険性が絶えないのが実情である。それ故に、介護用オムツを常時着用させておき、ベッドの上で横臥したままの状態で直接排泄させるようにもなり、これが返って被介護者の自立の意識を傷心させ、更に老化を進行させることにもなっている。
【０００９】
そこで、本発明は叙上のような従来存した諸事情に鑑み創出されたもので、主として在宅介護において、被介護者の用便や入浴に際し、当該被介護者を起立姿勢で乗せたままの状態で、例えば家族一人の介助者によってもトイレや浴槽の位置までの移動を前後左右に転倒させずに安全に行うことができるようにし、しかも被介護者の老化の進行を精神的にも防止でき、宅内での室内スペースの狭い場所でも容易に使用することができる介護用起立支援移動台車を提供することを目的とする。
【課題を解決するための手段】
【００１０】
上述した課題を解決するため、本発明にあっては、被介護者Ｐを起立させて移動可能となるよう下面にキャスター４を配してなる台車本体１と、該台車本体１の前部に支承部３を介して前後方向に傾倒自在となって配置され、且つ介助者Ｑが操作する介助者用操作ハンドル６ｄ、被介護者Ｐが手で掴めるようにした被介護者用手摺６ｃそれぞれを設けた起伏体２とを備え、該起伏体２は、被介護者Ｐが被介護者用手摺６ｃを掴んで前屈みとなることで前向き側への所定の傾倒位置で当該被介護者Ｐを保持可能としてなるものである。
起伏体２は、その上部に被介護者Ｐの肘を載せる肘載せ台５が設けられ、該肘載せ台５に肘を載せたまま前屈みとなることで前向き側への所定の傾倒位置で当該被介護者Ｐを保持可能としてなるものとすることができる。
起伏体２には、台車本体１に起立した被介護者Ｐが転倒するのを防止する被介護者転倒防止用ガード６ａを備えてなるものとすることができる。
台車本体１に対する支承部３を介しての起伏体２の前後方向の所定の傾倒角度位置での保持を可能にするよう台車本体１と起伏体２との間に介装された伸縮アーム７を備え、該伸縮アーム７は伸張あるいは収縮状態を維持させてなり、また、伸縮アーム７は油圧駆動されるものとすることができる。
キャスター４は、ブレーキレバー４ａの操作で停止、移動ができるようにしてあり、また、伸縮アーム７は、台車本体１下面のキャスター４に付設されているブレーキレバー４ａに連繋され、当該伸縮アーム７の伸縮に伴いブレーキレバー４ａを動作させるものとすることができる。
起伏体２から斜下前方に向けて突設されていて、被介護者Ｐの前向き側への起伏体２の傾倒限度位置で起伏体２を支える支持アーム１０先端に車輪８を備えてなるものとすることができる。
【００１１】
以上のように構成された本発明に係る介護用起立支援移動台車にあって、被介護者Ｐを台車本体１上で起立させるに際し、被介護者Ｐが被介護者用手摺６ｃを掴んだ状態としておいて、このときに作動する油圧駆動の伸縮アーム７が収縮状態から伸長すると、体重が重い被介護者Ｐであっても起立させることができ、起伏体２を被介護者Ｐの前向き側に向けた一定の傾倒角度位置に保持させる。
起伏体２は、台車本体１前部で前後方向に傾倒自在であることで、被介護者用手摺６ｃを掴んだ被介護者Ｐを、介助者用操作ハンドル６ｄによって介助者Ｑが強制的に牽引することでも台車本体１上に立たせさせ、また、すわらさせる。このとき、キャスター４にブレーキレバー４ａによるブレーキを掛けておくことで、台車本体１の不意な移動を阻止して作業を安全に遂行させる。
前向き側に傾倒された起伏体２は、被介護者Ｐを起立させた姿勢のままで保持し、肘載せ台５に被介護者Ｐの両腕の肘が載せられることで被介護者Ｐを前向きにやや前屈みさせて自身で支えた状態とさせ、楽な立ち姿勢を保持させる。また、伸長する伸縮アーム７に連動してキャスター４のブレーキを解除させ、これと同時に、支持アーム１０、車輪８は、被介護者Ｐの前向き側への起伏体２の傾倒を支持させる。一方、伸縮アーム７が元の長さに復帰収縮すると、起伏体２を後方の台車本体１側に向けて所定の傾倒角度位置に保持させると同時に、収縮する伸縮アーム７は、これに連動させてキャスター４にブレーキを掛ける。
台車本体１上で被介護者Ｐを立たせた状態でキャスター４によって台車本体１を所定の場所に移動、あるいは向きを変えさせることで、例えばベッド脇に置いてあるポータブルトイレに被介護者Ｐ移動させられ、被介護者Ｐ自らが立った状態にあることで、着衣等の上げ、下ろしを介助者Ｑが一人でも可能にさせる。
油圧駆動の伸縮アーム７は、ポータブルトイレ等に着席させる被介護者Ｐをゆっくりと下ろさせ、着席作業を安全にさせ、また用便後に被介護者Ｐを再び立たせさせ、台車本体１上で、起伏体２の肘載せ台５に肘を載せさせることで前屈みの楽な姿勢を保持させる。
【発明の効果】
【００１２】
本発明によれば、例えば在宅介護において、被介護者Ｐの用便や入浴をさせるに際し、当該被介護者Ｐを起立姿勢で乗せたままの状態で、例えば家族一人の介助者Ｑによってもトイレや浴槽の位置までの移動を転倒させずに安全に行うことができる。しかも被介護者Ｐが自身で立ち上がり可能にもさせ、自身で例えば便器を使用できるようにもなることで被介護者Ｐさらには介助者Ｑ等をして精神的にも負担にならず、ひいては老化の進行を防止できるばかりでなく、一般家屋の宅内での室内スペースの狭い場所でも容易に使用することができる。
【００１３】
すなわち、これは本発明が、被介護者Ｐを起立させて移動可能となるよう下面にキャスター４を配してなる台車本体１と、該台車本体１の前部に支承部３を介して前後方向に傾倒自在となって配置され、且つ介助者Ｑが操作する介助者用操作ハンドル６ｄ、被介護者Ｐが手で掴めるようにした被介護者用手摺６ｃそれぞれを設けた起伏体２とを備え、該起伏体２は、被介護者Ｐが被介護者用手摺６ｃを掴んで前屈みとなることで前向き側への所定の傾倒位置で当該被介護者Ｐを保持可能としてなるからであり、これにより、例えば家族一人の介助者Ｑでも、被介護者Ｐのトイレや浴槽の位置までの移動・移送が可能となり、しかも被介護者Ｐを起立させることで着衣の上げ、下ろしも容易となり、また前屈みの楽な姿勢で移動させることから被介護者Ｐの負担も少なく、ひいては被介護者Ｐの老化の進行を未然に防止することもできる。
【００１４】
また、被介護者Ｐを起立させて移動させる際には、被介護者Ｐが被介護者用手摺６ｃを掴んで前屈みとなることで前向き側への所定の傾倒位置で当該被介護者Ｐを保持可能となるから、被介護者Ｐのトイレや浴槽の位置までの安全な且つ安定した移動が可能となる。さらに、台車本体１と、支承部３を介して前後方向に傾倒自在となる起伏体２とによって概ね構成されていることから、宅内での室内スペースの狭い場所でも何等の支障とならずに容易に活用することができる。
【００１５】
起伏体２は、その上部に被介護者Ｐの肘を載せる肘載せ台５が設けられ、該肘載せ台５に肘を載せたまま前屈みとなることで前向き側への所定の傾倒位置で当該被介護者Ｐを保持可能としてなるので、被介護者用手摺６ｃを掴むことができない例えば手指動作の不自由な被介護者Ｐであっても肘載せ台５に肘を載せたままで、被介護者Ｐのトイレや浴槽の位置までの安全な且つ安定した移動が可能となる。
【００１６】
起伏体２には、台車本体１に起立した被介護者Ｐが転倒するのを防止する被介護者転倒防止用ガード６ａを備えてなるので、例えば家族一人の介助者Ｑによる被介護者Ｐのトイレや浴槽の位置までの移動に際し、被介護者Ｐを前屈み姿勢とさせることとも相俟ち、前後左右のいずれにも転倒させずに安全に移動させることができる。
【００１７】
台車本体１に対する支承部３を介しての起伏体２の前後方向の所定の傾倒角度位置での保持を可能にするよう台車本体１と起伏体２との間に介装された伸縮アーム７を備え、該伸縮アーム７は油圧駆動されることで、被介護者Ｐが被介護者用手摺６ｃを掴んだ状態で伸縮アーム７を油圧で伸張駆動することによって非力な介助者Ｑであっても被介護者Ｐを起立させることができる。また、伸縮アーム７は伸張状態を常時維持することから、台車本体１に対する一定の傾倒角度位置に起伏体２を保持させることができ、これによって被介護者Ｐが台車本体１に乗る際の起伏体２に対する操作が容易に行える。
【００１８】
また、油圧駆動される伸縮アーム７は被介護者Ｐを台車本体１上で起立させるばかりでなく、例えばポータブルトイレ等に着席させるときに被介護者用手摺６ｃを掴んでいる被介護者Ｐをゆっくりと下ろすことができ、被介護者Ｐは、安全にポータブルトイレ等に着席できる。そればかりでなく、用便後では、再びゆっくりと台車本体１上に起立させられ、起立した起伏体２の肘載せ台５上に肘を載せさせて前屈みの楽な姿勢とさせ、またその状態での着衣の着用も介助者一人でも簡単に行なわせることができる。
【００１９】
一方、起伏体２の肘載せ台５に肘を載せて前屈みとなることで当該起伏体２を被介護者Ｐの前向き側に押し倒した際には、伸縮アーム７は一定の長さだけ伸長状態となることから、被介護者Ｐの前向き側に向けて一定の傾倒角度位置に起伏体２を保持させることができ、これによって被介護者Ｐを台車本体１で起立させて移動させる際の当該被介護者Ｐの前向き側への支持が確実に行える。
【００２０】
キャスター４は、ブレーキレバー４ａの操作で停止、移動ができるようにしてあるから、被介護者Ｐを台車本体１に乗せるとき、降ろすとき、さらには例えば便器に着座させるとき、立ち上がらせるとき等に台車本体１を停止させておくことができ、その際の安全性を確保できる。
【００２１】
また、伸縮アーム７は、台車本体１下面のキャスター４に付設されているブレーキレバー４ａに連繋され、当該伸縮アーム７の伸縮に伴いブレーキレバー４ａを動作させるものとしたので、被介護者Ｐが台車本体１に起立した状態で乗る際に、当該台車本体１が不用意に移動して被介護者Ｐが転落転倒するという等の最悪な状態となるのを未然に防止することができる。
【００２２】
さらに、起伏体２から斜下前方に向けて突設されていて、被介護者Ｐの前向き側への起伏体２の傾倒限度位置で起伏体２を支える支持アーム１０先端に車輪８を備えてなるので、被介護者Ｐの前向き側への起伏体２の過度な傾倒による被介護者Ｐの転倒を未然に防止して、台車本体１によって移動することができる。
【００２３】
尚、上記の課題を解決するための手段、発明の効果の項それぞれにおいて付記した符号は、図面中に記載した構成各部を示す部分との参照を容易にするために付したもので、図面中の符号によって示された構造・形状に本発明が限定されるものではない。
【発明を実施するための最良の形態】
【００２４】
以下、図面を参照して本発明を実施するための最良の一形態を説明する。図において示される符号１は、本発明に係る介護用起立支援移動台車を構成する台車本体であり、該台車本体１は、その上に被介護者Ｐを起立させてから一人の介助者Ｑによってトイレや浴槽の位置まで移動・移送させることができるようにしてある。すなわち、図１に示すように、平面で略矩形状の所定肉厚の板材の下面四隅にキャスター４が取り付けられ、被介護者Ｐの両脚を載せる上面には、被介護者Ｐが滑って転倒しないように波形状に形成したり、ゴムマットの如き滑り止め材を貼着したりした滑り止め部９が施されている。
【００２５】
台車本体１の前部には、例えばヒンジ機構等による支承部３を介して、略矩形状の薄板材による例えば板状の起伏体２が前後方向に傾倒自在となって取り付けられている。この起伏体２の上部には、被介護者Ｐが前屈みの状態で例えば左右両腕を組んだ両肘が載置されるための板片状の肘載せ台５が後方に向けて突設されている。尚、該起伏体２自体は板状に形成されている場合に限らず、前後への起伏・傾倒動作と共に起立した被介護者Ｐが寄りかかってもこれを支えられる耐荷重性があるものとなれば良く、例えば軽量化する等のための枠フレーム形状その他であっても良いのである。
【００２６】
そして、図２および図３に示すように、起伏体２の左右両側における下端から上端にかけては、台車本体１の上方側で側方からみて略円弧状に湾曲した状態で対向配置されてなるパイプ状の被介護者転倒防止用ガード６ａが設けられている。この左右の被介護者転倒防止用ガード６ａの各上端は、肘載せ台５の左右両側でいったん左右の外方へ向けて膨らむようにして折り曲げられてから若干上側に屈曲されてなる左右の脇ガード６ｂを介して、さらに後方に向けて円弧状に突出するようにして互いに一体化されてなる被介護者用手摺６ｃが肘載せ台５の上側に形成されるものとしてある。また、左右の被介護者転倒防止用ガード６ａの各上端における左右の脇ガード６ｂから起伏体２の前方に向けて水平アーチ状となることで、介助者Ｑが台車本体１を移動したり、向きを変えたりするために操作するパイプ状の介助者用操作ハンドル６ｄが設けられている。
【００２７】
これら被介護者転倒防止用ガード６ａ、脇ガード６ｂ、被介護者用手摺６ｃ、介助者用操作ハンドル６ｄそれぞれは、図示のように、脇ガード６ｂと介助者用操作ハンドル６ｄとを一体にすることで、介助者Ｑによる操作による被介護者Ｐに対する安全性を一層向上できる。尚、これらの被介護者転倒防止用ガード６ａ、脇ガード６ｂ、被介護者用手摺６ｃ、介助者用操作ハンドル６ｄそれぞれの配置形状および素材は、本発明を何等拘束するものではなく、例えば一体状であると別体状であるとを問わず、他の配置形状および素材を使用しても良いことは勿論である。
【００２８】
また、台車本体１と起伏体２との間には、例えば油圧駆動式のピストンシリンダー機構等による左右で計一対とした伸縮アーム７が介装されており、台車本体１に対する支承部３を介しての起伏体２の前後方向の傾倒角度位置での保持および起伏作動を可能にし、且つ伸縮アーム７自体は、その伸張あるいは収縮状態を維持できるようにしてある。
【００２９】
すなわち、この伸縮アーム７は、図４（ｃ）に示すように、被介護者Ｐが被介護者用手摺６ｃを手で掴んだ状態にあるとき、伸張して被介護者Ｐを引き上げて台車本体１上で起立させ、あるいは収縮して被介護者Ｐを下ろして例えばベッドあるいはポータブルトイレ、ベッド上に着席させるようにしている。また、図１に示すように、伸張して起伏体２を起立させた後に、被介護者Ｐの両肘が肘載せ台５の上面に載置されて前屈みとなることで起伏体２が被介護者Ｐの前向き側に押されて傾倒した際に、当該伸縮アーム７が一定の長さだけ伸長していることで、当該起伏体２自体を被介護者Ｐの前向き側に向けて所定の傾倒角度位置で保持させるようにしている。
【００３０】
一方、図４（ａ）または図４（ｂ）に示すように、被介護者用手摺６ｃから被介護者Ｐの手を離すか、あるいは肘載せ台５から被介護者Ｐの両肘が離れ、また、伸縮アーム７の長さに収縮すると、当該起伏体２自体を後方の台車本体１側に向けて所定の傾倒角度位置で保持させるようにしている。
【００３１】
尚、起伏体２の前後方向への傾倒操作は、油圧駆動の伸縮アーム７によらずに、例えば介助者Ｑが介助者用操作ハンドル６ｄを直接に握持して、支承部３を支点とする梃子作用によって起伏揺動できることで、被介護者用手摺６ｃを掴んでいる被介護者Ｐを立たせたり、すわらせたりしても良い。
【００３２】
また、この伸縮アーム７は、台車本体１下面のキャスター４に付設されているブレーキレバー４ａに連結されており、起伏体２後方の台車本体１側への傾倒位置に対応する当該伸縮アーム７の伸縮作動に連動してブレーキレバー４ａを作動させることでキャスター４にブレーキが掛けられるようにしてある。尚、起伏体２あるいは台車本体１それぞれのいずれかの部位に、例えば脚で踏圧することにより自動的にキャスター４にブレーキが掛けられるよう、キャスター４の油圧ブレーキ機構等を施しても良い。さらにキャスター４は、伸縮アーム７の伸縮作動に連動して作動するブレーキレバー４ａによる制動あるいはその解除を行なうようにすることなく、例えば介助者Ｑ自身のブレーキレバー４ａに対する手動操作によっても作動可能としても良く、こうすることで構成を簡素化できる。
【００３３】
また、起伏体２の下方側における左右両端側からそれぞれ斜下前方に向けてパイプ状の支持アーム１０が突設されていて、該支持アーム１０の各先端には車輪８が取り付けられることで、図１、図４（ｄ）に示すように、起伏体２の前向き側への過度な傾倒、すなわち傾倒限度位置でこの支持アーム１０、車輪８によって支えると同時にキャスター４による台車本体１の移動が安定且つ円滑に行えるようにしてある。
【００３４】
次に、以上のように構成された最良の形態についての使用の一例について説明する。先ず、図４（ａ）に示すように、一人の介助者Ｑの介助により、例えばベッドに寝ている被介護者Ｐの上半身を起こし、脚をベッドの中央から下ろさせて被介護者Ｐを座った状態にさせる。
【００３５】
図４（ｂ）に示すように、起伏体２が後方側に傾倒された位置にした台車本体１を介助者Ｑによってベッドの側面に着け、被介護者Ｐの脚を台車本体１上に載せておく。そして、被介護者Ｐを被介護者用手摺６ｃに掴まらせ、伸縮アーム７の油圧駆動で伸張させることで起伏体２を起立させてベッドに座った状態から被介護者Ｐを立たせる。このとき、伸縮アーム７が伸張作動することで起伏体２が台車本体１側に向けられて所定の傾倒角度位置で保持されていることから、キャスター４にはブレーキが掛けられている。
【００３６】
図４（ｃ）に示すように、前方に起立傾倒する起伏体２によって被介護者Ｐは被介護者用手摺６ｃに掴まることで立ち上がり、被介護者Ｐの両肘が肘載せ台５の上面に載置されることで前屈みとなる。これにより、起伏体２が前方向に傾倒し、伸縮アーム７の一定長さの伸長によって起伏体２をやや前方に傾倒した状態を維持する。このとき、起伏体２自体は被介護者Ｐの前向き側に向けて所定の傾倒角度位置で保持される。これと同時に、キャスター４のブレーキが解除される。
【００３７】
図４（ｄ）に示すように、介助者Ｑは介助者用操作ハンドル６ｄを掴んで被介護者Ｐを乗せた台車本体１を例えばポータブルトイレの前に移動させる。この移動中、被介護者Ｐは両手で被介護者用手摺６ｃに掴まっており、あるいは例えば両腕を組んだ状態の両肘を肘載せ台５に載せることで前屈みとなり、いずれにしても台車本体１の上で、被介護者転倒防止用ガード６ａにて半ば囲われた状態で起立している。
【００３８】
次いで図４（ｅ）に示すように、立った状態でいる被介護者Ｐに対し、介助者Ｑは被介護者Ｐのズボンと下着等を下ろし、また油圧駆動の伸縮アーム７で起伏体２を後方にゆっくりと傾倒させると、被介護者Ｐは被介護者用手摺６ｃに掴まりながらポータブルトイレにゆっくりと着座させられ、座って用便する。
【００３９】
図４（ｆ）に示すように、用便後の被介護者Ｐは被介護者用手摺６ｃに再度掴まり、その状態で伸縮アーム７を油圧駆動させて起伏体２を起立させることで用便後の被介護者Ｐは被介護者用手摺６ｃに掴まりながらポータブルトイレから立つことになり、その後、介助者Ｑは被介護者Ｐのズボンと下着等を上げて装用させる。
【００４０】
図４（ｇ）に示すように、介助者Ｑは、介助者用操作ハンドル６ｄを掴んでおり、あるいは肘載せ台５に肘を載せた前屈みの被介護者Ｐを乗せた台車本体１をベッドの前に移動させる。この移動中、被介護者Ｐは両腕を組んだ状態の両肘を肘載せ台５に載せながら、あるいは両手で被介護者用手摺６ｃに掴まりながら、台車本体１の上で起立している。
【００４１】
図４（ｃ）および図４（ｂ）に示すように、油圧駆動で伸縮アーム７をゆっくりと収縮させて起伏体２を後方に傾倒させることで被介護者用手摺６ｃに掴まっている被介護者Ｐを、図４（ｈ）に示すように、ベッドに座らせる。このとき、キャスター４にはブレーキが掛けられていることになり、ブレーキを解除して台車をベッド脇から離して移動させる一方、被介護者Ｐを当該ベッドに寝かせる。
【図面の簡単な説明】
【００４２】
【図１】本発明を実施するための最良の形態における介護用起立支援移動台車を示す斜視図である。
【図２】同じく側面図である。
【図３】同じく平面図である。
【図４】同じく介護用起立支援移動台車の使用の手順を示し、（ａ）は被介護者をベッドに座った状態とさせ、移動台車をベッド脇まで移動したときの斜視図、（ｂ）は被介護者が台車本体上に足を載せ、起立する前の状態の斜視図、（ｃ）は被介護者が台車本体上で起立するときの斜視図、（ｄ）は台車本体上に乗った被介護者を移動させている状態の斜視図、（ｅ）は被介護者をポータブルトイレに着座させるときの斜視図、（ｆ）は被介護者が用便中、更には再度被介護者用手摺に掴まり、起立する前の状態の斜視図、（ｇ）は被介護者をトイレから立たせる状態の斜視図、（ｈ）は移動後で再度ベッドに座らせる一方、台車本体を退避移動させる状態の斜視図である。
【符号の説明】
【００４３】
Ｐ…被介護者                            Ｑ…介助者
１…台車本体                            ２…起伏体
３…支承部                              ４…キャスター
４ａ…ブレーキレバー                    ５…肘載せ台
６ａ…被介護者転倒防止用ガード          ６ｂ…脇ガード
６ｃ…被介護者用手摺                    ６ｄ…介助者用操作ハンドル
７…伸縮アーム                          ８…車輪
９…滑り止め部                          １０…支持アーム
【図１】
2009268786.tif 000003
【図２】
2009268786.tif 000004
【図３】
2009268786.tif 000005
【図４】
2009268786.tif 000006